(57)【要約】【課題】ハウリングを防止し得る撮像装置を提案する。【解決手段】ビデオカメラ１の外部出力端子に外部機器としてテレビ５が接続された場合に、制御部１７は、外部出力端子の種類に応じて、この外部出力端子を介して出力させる映像情報を生成してテレビ５側に出力するとともに、モード設定部１６によって設定されている動作モードが再生モードである場合には、外部出力端子の種類に応じて、この外部出力端子を介して出力させる音声情報を生成してテレビ５側に出力する一方、動作モードがカメラモードまたは録画モードである場合には、外部出力端子を介して行われる音声情報の出力を停止させる。【選択図】図１
2009044567.tif 000002
【特許請求の範囲】
【請求項１】
撮影手段によって撮影された映像および音声入力手段によって入力された音声を用いて生成される映像情報および音声情報を、外部出力端子を介して接続されている外部機器に出力可能な撮像装置であって、
外部出力端子を介して外部機器が接続されていることを検出する検出手段と、
自装置の動作モードを判定するモード判定手段と、
前記検出手段によって前記外部機器の接続が検出され、かつ、前記モード判定手段によって前記動作モードが、前記音声入力手段によって音声が入力される状態となる動作モードであると判定された場合に、前記外部出力端子を介して行われる音声情報の出力を停止させる停止手段と、
を備えることを特徴とする撮像装置。
【請求項２】
外部出力端子が、ＨＤＭＩ端子であることを特徴とする請求項１に記載の撮像装置。
【発明の詳細な説明】
【技術分野】
【０００１】
本発明は、撮像装置に関し、外部出力端子を介して接続されている外部機器に対して映像情報および音声情報を出力可能な撮像装置に適用して好適なものである。
【背景技術】
【０００２】
近年、撮像装置に含まれるビデオカメラでは、従来のアナログ信号による出力に加え、ＨＤＭＩ(High-Definition Multimedia Interface)や光出力などデジタル信号による出力も可能となり、５．１ｃｈサラウンドなどにより高音質な音声の出力も可能となっている（例えば、下記特許文献１参照）。
【０００３】
【特許文献１】特開２００６−２８６０３４号公報
【発明の開示】
【発明が解決しようとする課題】
【０００４】
ところで、音声の入出力機能を有するビデオカメラでは、ハウリングという現象が生じ得る。ハウリングとは、例えば、マイクから入力された音声が同時にスピーカから出力された場合に、その出力された音声が再度マイクから入力されて増幅された後にスピーカから出力されるということが繰り返し行われる結果、大きな騒音が連続して発生してしまう現象をいう。
【０００５】
ビデオカメラはテレビと接続して利用されることがあり、この場合にビデオカメラの動作モードをカメラモードや録音モードにすると、マイクで収集された周辺の音がテレビに出力されることになるため、ハウリングが生じやすい。
【０００６】
本発明は以上の点を考慮してなされたもので、ハウリングを防止し得る撮像装置を提案するものである。
【課題を解決するための手段】
【０００７】
かかる課題を解決するため本発明においては、撮影手段によって撮影された映像および音声入力手段によって入力された音声を用いて生成される映像情報および音声情報を、外部出力端子を介して接続されている外部機器に出力可能な撮像装置であって、外部出力端子を介して外部機器が接続されていることを検出する検出手段と、自装置の動作モードを判定するモード判定手段と、検出手段によって外部機器の接続が検出され、かつ、モード判定手段によって動作モードが、音声入力手段によって音声が入力される状態となる動作モードであると判定された場合に、外部出力端子を介して行われる音声情報の出力を停止させる停止手段と、を備えることを特徴とする。
【発明の効果】
【０００８】
本発明によれば、外部出力端子を介して外部機器が接続されているときに、動作モードが、音声入力手段によって音声が入力される状態となる動作モードである場合には、外部出力端子を介して行われる音声情報の出力を停止させることができるため、ハウリングを防止することができる。
【発明を実施するための最良の形態】
【０００９】
以下図面を参照して本発明の一実施形態を詳述する。
【００１０】
図１は、本実施形態におけるビデオカメラ１を示す。同図に示すように、ビデオカメラ１は、撮像手段であるレンズ１１および撮像素子１２と、音声入力手段であるマイク１３およびアンプ１４と、Ａ／Ｄ変換部１５と、モード設定部１６と、制御部１７と、ＨＤＭＩ端子ドライバ１８およびＨＤＭＩ端子１９と、Ｄ端子ドライバ２０およびＤ端子２１と、コンポジット端子ドライバ２２およびコンポジット端子２３と、映像表示手段であるＬＣＤ２４と、記録装置２５と、音声出力手段であるスピーカ２６とを有する。このように、本実施形態におけるビデオカメラ１には、外部出力端子として、ＨＤＭＩ端子１９、Ｄ端子２１およびコンポジット端子２３が設けられている。
【００１１】
撮像手段は、レンズ１１によってＣＣＤやＣＭＯＳ等の撮像素子１２上に被写体像を結像させ、撮像素子１２によって映像信号を生成させる。音声入力手段は、マイク１３によって収集された音声をアンプ１４で増幅して音声信号を生成させる。
【００１２】
Ａ／Ｄ変換部１５は、撮像手段によって生成された映像信号および音声入力手段によって生成された音声信号を、デジタル化して映像データおよび音声データに変換する。
【００１３】
モード設定部１６は、ビデオカメラ１の動作モードをユーザの操作指示にしたがって設定する。動作モードには、例えば、カメラモード、録画モード、再生モードがある。カメラモードは、撮像手段によって現在撮像されている映像をＬＣＤ２４に表示させ、音声入力手段によって現在収集されている音声をスピーカ２６から出力させるモードである。
【００１４】
録画モードは、撮像手段によって撮像されている映像および音声入力手段によって収集されている音声を、それぞれ映像データおよび音声データに変換し、記録装置２５によって記録させるモードである。
【００１５】
再生モードは、記録装置２５によって記録された映像データを表示出力用の映像信号に変換してＬＣＤ２４に表示させ、記録装置２５によって記録された音声データを音声出力用の音声信号に変換してスピーカ２６から出力させるモードである。
【００１６】
ここで、音声入力手段は、カメラモードおよび録画モード時には周辺の音声を収集するＯＮ状態となり、再生モード時には周辺の音声を収集しないＯＦＦ状態となる。つまり、カメラモードおよび録画モードは、音声入力手段によって音声が入力される状態となる動作モードであり、再生モードは、音声入力手段によって音声が入力されない状態となる動作モードである。
【００１７】
制御部１７は、ビデオカメラ１全体の統括制御をおこなうマイコンを含むシステム制御手段で、この制御部１７によってビデオカメラ１が有する各部の制御やビデオカメラ１全体の統括管理が行われる。この制御部１７の機能について、以下に詳細に説明する。
【００１８】
制御部１７は、ＨＤＭＩ端子１９に、ビデオカメラ１とテレビ５とを接続するための接続ケーブルが接続されたことを検出した場合には、ＨＤＭＩ端子１９から出力させるデジタルの映像データを生成して、この映像データを、ＨＤＭＩ端子ドライバ１８およびＨＤＭＩ端子１９を介してテレビ５側に出力させる。これにより、映像データに対応する映像がテレビ５の表示画面に表示されることになる。
【００１９】
制御部１７は、Ｄ端子２１に、ビデオカメラ１とテレビ５とを接続するための接続ケーブルが接続されたことを検出した場合には、Ｄ端子２１から出力させるアナログの映像信号を生成して、この映像信号を、Ｄ端子ドライバ２０およびＤ端子２１を介してテレビ５側に出力させる。これにより、映像信号に対応する映像がテレビ５の表示画面に表示されることになる。
【００２０】
制御部１７は、コンポジット端子２３に、ビデオカメラ１とテレビ５とを接続するための接続ケーブルが接続されたことを検出した場合には、コンポジット端子２３から出力させる映像信号を生成して、この映像信号を、コンポジット端子ドライバ２２およびコンポジット端子２３を介してテレビ５側に出力させる。これにより、映像信号に対応する映像がテレビ５の表示画面に表示されることになる。
【００２１】
制御部１７は、ＨＤＭＩ端子１９、Ｄ端子２１またはコンポジット端子２３のいずれかに、ビデオカメラ１とテレビ５とを接続するための接続ケーブルが接続されたことを検出した場合に、モード設定部１６によって設定されている動作モードが再生モードであるか否かを判定する。
【００２２】
制御部１７は、モード設定部１６によって設定されている動作モードが再生モードであると判定した場合に、記録装置２５によって記録された音声データを用いてテレビ５側に出力させる。具体的には、接続ケーブルがＨＤＭＩ端子１９に接続された場合には、制御部１７は、音声データを、ＨＤＭＩ端子ドライバ１８およびＨＤＭＩ端子１９を介してテレビ５側に出力させる。一方、接続ケーブルがＤ端子２１またはコンポジット端子２３のいずれかに接続された場合には、制御部１７は、音声データを音声出力用の音声信号に変換し、この音声信号を、外部出力端子に含まれる音声出力端子（不図示）を介してテレビ５側に出力させる。
【００２３】
これにより、音声データまたは音声信号（以下、音声情報という）に対応する音声がテレビ５のスピーカ５１から出力されることになる。ただし、動作モードが再生モードである場合には、ビデオカメラ１の音声入力手段はＯＦＦ状態であるため、ハウリングが発生することはない。
【００２４】
制御部１７は、モード設定部１６によって設定されている動作モードが再生モード以外であると判定した場合には、上述した音声情報のテレビ５側への出力を停止させる。
【００２５】
これにより、ビデオカメラ１の音声入力手段がＯＮ状態となるカメラモードおよび録画モード時には、音声情報がテレビ５側に出力されないため、この音声情報に対応する音声がテレビ５のスピーカ５１から出力されることがなくなり、ハウリングを防止することができる。
【００２６】
次に、図２を参照して、ビデオカメラ１の外部出力端子に外部機器としてテレビ５が接続された場合に、ビデオカメラ１において行われる処理手順について説明する。この処理手順では、ビデオカメラ１の電源が投入された後に、ＨＤＭＩ端子１９、Ｄ端子２１またはコンポジット端子２３のいずれかでホットプラグが行われた場合の処理手順について説明する。
【００２７】
まず、ＨＤＭＩ端子１９でホットプラグされたことが制御部１７によって検出された場合（ステップＳ１；ＹＥＳ）に、制御部１７は、ＨＤＭＩ端子１９から出力させる映像データを生成して、この映像データを、ＨＤＭＩ端子ドライバ１８およびＨＤＭＩ端子１９を介してテレビ５側に出力する（ステップＳ２）。
【００２８】
一方、ＨＤＭＩ端子１９でホットプラグが検出されず（ステップＳ１；ＮＯ）、かつ、Ｄ端子２１でホットプラグされたことが検出された場合（ステップＳ３；ＹＥＳ）に、制御部１７は、Ｄ端子２１から出力させる映像信号を生成して、この映像信号を、Ｄ端子ドライバ２０およびＤ端子２１を介してテレビ５側に出力する（ステップＳ４）。
【００２９】
一方、ＨＤＭＩ端子１９でホットプラグが検出されず（ステップＳ１；ＮＯ）、かつ、Ｄ端子２１でホットプラグが検出されない場合（ステップＳ３；ＮＯ）に、制御部１７は、コンポジット端子２３から出力させる映像信号を生成して、この映像信号を、コンポジット端子ドライバ２２およびコンポジット端子２３を介してテレビ５側に出力する（ステップＳ５）。
【００３０】
次に、制御部１７は、モード設定部１６によって設定されている動作モードが再生モードであるか否かを判定する（ステップＳ６）。この判定で、動作モードが再生モードであると判定された場合（ステップＳ６；再生）に、制御部１７は、記録装置２５によって記録された音声データを用いて音声出力用の音声情報を生成し、この音声情報を、ＨＤＭＩ端子１９または音声出力端子を介してテレビ５側に出力する（ステップＳ７）。
【００３１】
一方、上述したステップＳ６で動作モードがカメラモードまたは録画モードであると判定された場合（ステップＳ６；カメラ、録画）に、制御部１７は、ＨＤＭＩ端子１９または音声出力端子を介して行われる音声情報の出力を停止させる（ステップＳ８）。
【００３２】
以上のように本実施形態におけるビデオカメラ１では、音声入力手段がＯＮ状態となるカメラモードおよび録画モード時には、ビデオカメラ１からテレビ５に対して行われる音声情報の出力を停止させることができるため、この音声情報に対応する音声がテレビ５のスピーカ５１から出力されて再度ビデオカメラ１の音声入力手段に入力されることがなくなり、ハウリングを防止することができる。
【００３３】
なお、上述の実施の形態においては、本発明を図１のように構成されたビデオカメラ１に適用するようにした場合について述べたが、本発明はこれに限らず、この他種々の構成の撮像装置に広く適用することができる。
【００３４】
また、上述した実施形態においては、外部出力端子として、ＨＤＭＩ端子１９、Ｄ端子２１およびコンポジット端子２３が設けられている場合について説明しているが、外部出力端子はこれに限定されない。例えば、外部出力端子として、ＨＤＭＩ端子１９、Ｄ端子２１およびコンポジット端子２３のうちのいずれかの端子のみが設けられている場合にも本発明を適用することができる。また、例えば、外部出力端子として、ＤＶＩ-Ｄ端子、ＤＶ端子、コンポーネント端子、Ｓ端子などの各種の端子のうちのいずれかの端子が設けられている場合にも本発明を適用することができる。
【００３５】
また、上述した実施形態においては、ビデオカメラ１の電源が投入された後に、ＨＤＭＩ端子１９、Ｄ端子２１またはコンポジット端子２３のいずれかでホットプラグが行われた場合の処理手順について説明しているが、外部出力端子に対する接続検出は、ホットプラグによるものには限定されない。例えば、ビデオカメラ１に電源が投入された時に、ＨＤＭＩ端子１９、Ｄ端子２１またはコンポジット端子２３のいずれかに接続ケーブルが既に差し込まれているか否かを検出することとしてもよい。
【００３６】
また、上述した実施形態においては、外部機器として、テレビを用いて説明しているが、外部機器はこれに限定されない。外部機器としては、例えば、パーソナルコンピュータやスピーカ等であってもよい。
【図面の簡単な説明】
【００３７】
【図１】実施形態におけるビデオカメラの構成を示すブロック図である。
【図２】ビデオカメラにおける処理手順を示すフローチャートである。
【符号の説明】
【００３８】
１……ビデオカメラ、５……テレビ、１１……レンズ、１２……撮像素子、１３……マイク、１４……アンプ、１５……Ａ／Ｄ変換部、１６……モード設定部、１７……制御部、１８……ＨＤＭＩ端子ドライバ、１９……ＨＤＭＩ端子、２０……Ｄ端子ドライバ、２１……Ｄ端子、２２……コンポジット端子ドライバ、２３……コンポジット端子、２４……ＬＣＤ、２５……記録装置、２６、５１……スピーカ。
【図１】
2009044567.tif 000003
【図２】
2009044567.tif 000004